(57)【要約】      （修正有）【課題】低価格でありながら必要な強度を備える組立家屋の接続構造を提供する。【解決手段】複数階で構成される組立家屋Ａの下側ユニットＡ１の柱Ａ１０と上側ユニットＡ２の柱Ａ２０とを接続する接続部Ｂを備え、接続部Ｂは、上下方向で向かい合う柱Ａ１０、Ａ２０の双方に、軸方向を柱Ａ１０、Ａ２０の長さ方向と幅方向で交差する方向として固着された固定体１、２と、固定体１、２に設けられた雌側螺合部３、４と、上下方向で向かい合う柱Ａ１０、Ａ２０の双方にわたると共に、雌側螺合部３、４と軸方向で対面するように配置された連結体５と、連結体５の外側から雌側螺合部３、４に螺合締め付けされた雄側螺合体６とを備える。【選択図】図２
2015124551.tif 000002
【特許請求の範囲】
【請求項１】
複数階で構成される組立家屋の下階と上階とを接続する接続構造であって、
前記下階の柱と、前記上階の柱とを接続する接続部を備え、
前記接続部は、上下方向で向かい合う柱の双方に、軸方向を前記柱の長さ方向と幅方向で交差する方向として固着された固定体と、
前記固定体に設けられた雌側螺合部と、
上下方向で向かい合う前記柱の双方にわたると共に、前記雌側螺合部と軸方向で対面するように配置された連結体と、
前記連結体の外側から前記雌側螺合部に螺合締め付けされた雄側螺合体と、
を備えていることを特徴とする組立家屋の接続構造。
【請求項２】
前記固定体が、前記柱に内蔵されていることを特徴とする請求項１記載の組立家屋の接続構造。
【請求項３】
前記柱が、該柱の幅方向で互いに向かい合う側板を備えた鉄骨であって、前記固定体が互いに向かい合う前記側板にわたるように固着されていることを特徴とする請求項１又は２記載の組立家屋の接続構造。
【請求項４】
上下方向で向かい合う前記柱の少なくとも一方の前記固定体が複数であることを特徴とする請求項１乃至３いずれか１項記載の組立家屋の接続構造。
【請求項５】
複数の前記固定体が、前記柱の上下方向で隣り合うように配されていることを特徴とする請求項４記載の組立家屋の接続構造。
【請求項６】
複数の前記固定体が、前記柱の上下方向で隣合うように配されていると共に、隣り合う前記固定体の軸が相互に交差するように配されていることを特徴とする請求項４記載の組立家屋の接続構造。
【発明の詳細な説明】
【技術分野】
【０００１】
本発明は、組立家屋の接続構造に関する。
【背景技術】
【０００２】
組立家屋の上階と下階との接続において、位置決め機能を備えた接続構造は、例えば、下記特許文献１に記載の接続構造のように、積層する組立建造物ユニットの対向する底面と上面の縁部に、接合される傾斜部を備えた結合体を設け、この結合体は組立建造物ユニットの積層する面において少なくとも、一方向への移動が阻止されるよう上記組立建造物ユニットの底面と上面の対向する結合体の傾斜部が相反する向きとなる位置関係に設置され、その接合する結合体どうしをボルト・ナットで結合する構造が知られている。
【先行技術文献】
【特許文献】
【０００３】
【特許文献１】特開平８−９３０５６号公報
【発明の概要】
【発明が解決しようとする課題】
【０００４】
この特許文献１の従来技術によると、結合体に傾斜部を設け、この傾斜部どうしを接合して結合するようにしたものであるから、傾斜部の傾斜の向きによって少なくとも一方向において積層される組立建造物の移動が阻止され、その位置決めを簡便に、かつ迅速に行うことができるとともに、安定にして所定の位置に固定することができる。
【０００５】
特許文献１の従来技術は、結合体の傾斜部同士を向かい合わせて接合して、ボルト・ナットで結合するものであるため、接合された傾斜部間に隙間やずれが生じないように、高い精度で結合体の傾斜部を形成する必要がある。
【０００６】
しかしながら、傾斜角度の精度を高い精度で結合体を製作するには、時間や製造コストを要し、結合体自体が高価格になり、簡易で安価であるべき組立家屋が高価格となるという問題があった。また、結合体の精度が低く、接合された傾斜部間に隙間やずれが生じた場合には、結合体の接合状態が不確実になって、組立家屋の必要な強度が確保できないという問題があった。
【０００７】
本発明は、このような問題に対処することを課題の一例とするものである。すなわち、接続構造を安価にできること、安価でありながら必要な強度を備える組立家屋を達成すること、等が本発明の目的である。
【課題を解決するための手段】
【０００８】
このような目的を達成するために、本発明による組立家屋の接続構造は、以下の構成を少なくとも具備するものである。
【０００９】
複数階で構成される組立家屋の下階と上階とを接続する接続構造であって、前記下階の柱と、前記上階の柱とを接続する接続部を備え、前記接続部は、上下方向で向かい合う柱の双方に、軸方向を前記柱の長さ方向と幅方向で交差する方向として固着された固定体と、前記固定体に設けられた雌側螺合部と、上下方向で向かい合う前記柱の双方にわたると共に、前記雌側螺合部と軸方向で対面するように配置された連結体と、前記連結体の外側から前記雌側螺合部に螺合締め付けされた雄側螺合体と、を備えていることを特徴とする組立家屋の接続構造である。
【発明の効果】
【００１０】
本発明によれば、雌側係合体と雄側係合体との係合によって位置決めするとともに、この雌側係合体と雄側係合体とを保持部によって固定するものであるので、接続構造を安価にできるとともに、安価でありながら組立家屋の上階と下階の位置決めを確実にできる。これにより、低価格でありながら必要な強度を備える組立家屋を提供することができる。
【図面の簡単な説明】
【００１１】
【図１】組立家屋の接続構造の第一実施形態を示す組立家屋の概略断面図である。
【図２】図１の要部拡大図である。
【図３】図２の（３）-（３）線断面図である。
【図４】組立家屋の接続構造の分解斜視図である。
【図５】組立家屋の接続構造の第二実施形態を示す側面図である。
【図６】図５の（６）-（６）線断面図である。
【発明を実施するための形態】
【００１２】
本発明では、前記固定体が、前記柱に内蔵されていることが好ましい。
【００１３】
また、前記柱が、該柱の幅方向で互いに向かい合う側板を備えた鉄骨であって、前記固定体が互いに向かい合う前記側板にわたるように固着されていることが好ましい。
【００１４】
また、上下方向で向かい合う前記柱の少なくとも一方の前記固定体が複数であることが好ましい。
【００１５】
この場合、複数の前記固定体を前記柱の上下方向で隣り合うように配した形態であることが好ましい。
【００１６】
また、複数の前記固定体を前記柱の上下方向で隣合うように配すると共に、隣り合う前記固定体の軸が相互に交差するように配した形態が好ましい。
【００１７】
以下、本発明に係る第一実施形態の組立家屋Ａの接続構造を図１〜図４に基づいて説明する。以下で、説明する実施形態は、本発明を限定するものではない。
【００１８】
組立家屋Ａは、二階建てであり、下側ユニット（下階）Ａ１と上側ユニット（上階）Ａ２とを、前述の接続構造からなる接続部Ｂを介して接続することによって構成されている。
【００１９】
下側ユニットＡ１及び上側ユニットＡ２は、柱Ａ１０、Ａ２０、土台Ａ１１、梁Ａ１２、Ａ２１等を構成する鉄骨の一例である角形鋼を用いて組み立てられており、地面に載置された下側ユニットＡ１上に、重機（図示せず）等によって上側ユニットＡ２を吊り下げて載置するとともに、下側ユニットＡ１と上側ユニットＡ２とを接続部Ｂを介して接続することで、二階建ての組立家屋Ａを構成できるようになっている。
【００２０】
接続部Ｂは、下側ユニットＡ１における柱Ａ１０の上端側と、上側ユニットＡ２における柱Ａ２０の下端側とにわたるように、組立家屋Ａの四隅に設けられている。
【００２１】
接続部Ｂは、図２〜図４に示すように、柱Ａ１０の内側に、向かい合う側板Ａ１００、Ａ１０１間にわたるように配置されて固定された固定体１と、柱Ａ２０の内側に、向かい合う側板Ａ２００、Ａ２０１間にわたるように配置されて固定された固定体２と、固定体１に形成された雌側螺合部３と、固定体２に形成された雌側螺合部４と、側板Ａ１００及び側板Ａ２００の外側で、側板Ａ１００と側板Ａ２００とにわたるように配置された連結体５と、連結体５の外側から側板Ａ１００及び側板Ａ２００を貫通して雌側螺合部３及び雌側螺合部４に螺合締め付けされた雄側螺合体６とを備えている。
【００２２】
固定体１、２は、鋼鉄材を用いて円筒状に形成され、上下方向に夫々二本設けられており、固定体１、２の端部を側板Ａ１００、Ａ１０１、側板Ａ２００、Ａ２０１に溶接等の固着手段を用いて固着することによって、柱Ａ１０、柱Ａ２０の内側に固定されている。
【００２３】
また、固定体１、２は、内周壁に雌側螺合部３、４が形成されており、雌側螺合部３、４の軸が、側板Ａ１００、Ａ２００に開口された貫通口１００、２００と同軸となるように配置されている。
【００２４】
固定体１、２の径は、柱Ａ１０、Ａ２０の内側に挿入できると共に、溶接等の作業を行える範囲で最大のものであることが好ましい。
【００２５】
貫通口１００、２００は、雄側螺合体６が貫通する径に形成されている。
【００２６】
連結体５は、柱Ａ１０、Ａ２０の幅と同じ幅にされ、且つ雌側螺合部３、４とにわたって対面できる長さに形成された金属板状のものであり、雄側螺合体６が貫通する径に形成された貫通口５０が四個形成されている。
【００２７】
貫通口５０の位置は、連結体５を側板Ａ１００、Ａ２００の所定位置に配置したときに、貫通口と同軸となる位置に形成されており、このような位置に貫通口５０を配置することによって、雄側螺合体６を連結体５の外側から雌側螺合部３、４に螺合することができる。
【００２８】
雄側螺合体６は、鋼鉄製の六角ボルトであり、連結体５の外側から貫通口５０を介して雌側螺合部３、４に螺合締め付けすることによって、連結体５を柱Ａ１０、Ａ２０に固定すると共に、柱Ａ１０、Ａ２０を連結固定することができる。
【００２９】
このような接続部Ｂによると、固定体１を柱Ａ１０の上端側の内部に、側板Ａ１００、Ａ１０１間にわたるように固着すると共に、固定体２を柱Ａ２０の下端側の内部に、側板Ａ２００、Ａ２０１間にわたるように固着したことによって、柱Ａ１０の上端側及び柱Ａ２０の下端側の接続部Ｂの接続位置の補強を行うことができる。
【００３０】
また、下側ユニットＡ１の上に上側ユニットＡ２を載置した状態で、連結体５を柱Ａ１０、Ａ２０にわたる所定位置に配置すると共に、雄側螺合体６を連結体５の外側から貫通口５０、１００、２００を介して雌側螺合部３、４に螺合締め付けすることによって、下側ユニットＡ１の上に上側ユニットＡ２を連結固定することができる。
【００３１】
すなわち、柱Ａ１０及びＡ２０に固定して内蔵され、雌側螺合部３、４が形成された固定体１、２と、柱Ａ１０、Ａ２０にわたるように配置された連結体５と、連結体５の外側から貫通口５０、１００、２００を介して雌側螺合部３、４に締め付け固定する雄側螺合体６という極めて簡易な構成の接続部Ｂである。
【００３２】
したがって、柱Ａ１０及び柱Ａ２０に、前述の従来技術のような高精度な傾斜面を構築することなく、極めて簡易な接続部Ｂを構成したので、必要な強度を備える接続部Ｂを安価に構成でき、これによって、安価でありながら必要な強度を備える組立家屋Ａを構成することができる。
【００３３】
次に、組立家屋Ａの第二実施形態を図５、図６に基づいて説明する。尚、図１〜図４に示す組立家屋Ａの第一実施形態と重複する部位についての説明は、同符号を付すことにより省略する。
【００３４】
本実施形態の組立家屋Ａは、図５、図６に示すように、柱Ａ１０及び柱Ａ２０の固定体１、２が、柱Ａ１０及び柱Ａ２０の上下方向に沿って、夫々二個配されたものであり、且つこの固定体１同士、及び固定体２同士を、夫々互いの軸が直交（交差）するように配置したものである。
【００３５】
このように配置された固定体１、２によると、夫々互いの軸が交差するように配置した固定体１同士、及び固定体２同士と、柱Ａ１０、Ａ２０の二面の側板Ａ１００、Ａ１００、側板Ａ２００、Ａ２００に、雄側螺合部６によって締め付け固定された二枚の連結体５とで、下側ユニットＡ１と上側ユニットＡ２を連結することができる。
【００３６】
すなわち、図５、図６に示す構成の接続部Ｂによると、固定体１同士、及び固定体２同士を、夫々互いの軸が直交するように配置したことにより、柱Ａ１０、Ａ２０の面の互いに直交する二面で下側ユニットＡ１と上側ユニットＡ２を連結することができる。
【００３７】
したがって、接続部Ｂに作用する水平方向、且ついずれの方向からの力に対しても耐え得る高い強度を備えた接続部Ｂを構成することができる。
【００３８】
しかも、固定体１同士、及び固定体２同士を、夫々互いの軸が直交するように配置した構成であるので、前述の従来技術のような高精度な傾斜面を構築することなく、極めて簡易な構成で、必要な強度を備える接続部Ｂを安価に構成でき、これによって、安価でありながら必要な強度を備える組立家屋Ａを構成することができる。
【００３９】
組立家屋Ａは、例示した二階建てのものに限らないが、組立てた際の総合的な強度を保持するという観点から、最大で三階建てのものとすることが望ましい。
【００４０】
柱Ａ１０及び柱Ａ２０は、例示した角形鋼に限らず、Ｈ型鋼やＣ形鋼等の、組立家屋Ａの柱Ａ１０及び柱Ａ２０として使用されるものであって、固定体１、２を固定できると共に、連結体５を柱Ａ１０と柱Ａ２０とにわたって配することができ、且つ固定体１、２と連結体５とを雄側螺合体６で締め付けることによって連結できる形態であればよい。
【００４１】
固定体１、２は、柱Ａ１０及び柱Ａ２０の外表面に固定することも可能であり、この場合、柱Ａ１０及び柱Ａ２０に対する固定体１、２の固定作業が容易である。
【００４２】
固定体１、２の個数は、柱Ａ１０及び柱Ａ２０の固定体１、２が夫々一個、若しくは三個以上としてもよいし、柱Ａ１０及び柱Ａ２０の固定体１、２のいずれか一方を一個とし、他方を二個以上としてもよい。
【００４３】
また、固定体１、２の個数に関しては、組立家屋Ａの階数に応じて増減することができ、組立家屋Ａの階数が多い場合に固定体１、２の個数を増やすとよい。
【符号の説明】
【００４４】
Ａ：組立家屋
Ａ１：下側ユニット（下階）
Ａ２：上側ユニット（上階）
Ｂ：接続部
Ａ１０：柱
Ａ２０：柱
１：固定体
２：固定体
３：雌側螺合部
４：雌側螺合部
５：連結体
６：雄側螺合体
Ａ１００：側板
Ａ１０１：側板
Ａ２００：側板
Ａ２０１：側板
【図１】
2015124551.tif 000003
【図２】
2015124551.tif 000004
【図３】
2015124551.tif 000005
【図４】
2015124551.tif 000006
【図５】
2015124551.tif 000007
【図６】
2015124551.tif 000008